(57)【要約】【課題】平面部又はコーナー部の壁に対する電気機器の傾斜角度及び位置関係の調整の自由度を向上させることができる電気機器取付具を提供する。【解決手段】壁の平面部又はコーナー部に壁取付部材２，２を、表示装置Ｔに機器取付部材３，３を、夫々左右に並置して取り付け、壁取付部材２，２及び機器取付部材３，３夫々に、連結箇所１１，１１，…及び連結箇所１３，１３，…において回動可能に取り付けられたリンク部材４，４が壁取付部材２，２に対して水平方向に回動し、また、リンク部材４，４に対して機器取付部材３，３が水平及び鉛直方向に回動して表示装置Ｔの傾斜角度及び壁に対する前後左右の位置を調節する。【選択図】図１
2007108528.tif 000002
【特許請求の範囲】
【請求項１】
壁に取り付けられる壁取付部材と、
電気機器に取り付けられる機器取付部材と、
前記壁取付部材及び前記機器取付部材の間に介在して各部材に回動可能に連結されているリンク部材と
を備える電気機器取付具であって、
少なくとも１つの連結箇所では、連結される一方の部材に長孔が形成してあり、
該長孔を貫通して、該長孔が形成された連結箇所を連結するための軸部材を備えることを特徴とする電気機器取付具。
【請求項２】
前記リンク部材と前記壁取付部材とは２箇所で連結してあり、
２箇所の連結箇所の夫々に長孔が形成してあることを特徴とする請求項１に記載の電気機器取付具。
【請求項３】
前記リンク部材と前記機器取付部材とは２箇所で連結してあり、
２箇所の連結箇所の夫々に長孔が形成してあることを特徴とする請求項１又は２に記載の電気機器取付具。
【請求項４】
離隔配置された前記連結箇所に形成された長孔夫々に貫通している軸部材を前記長孔の長手方向の互いに異なる位置に配置可能にしてあることを特徴とする請求項２又は３に記載の電気機器取付具。
【請求項５】
前記連結箇所に形成された長孔は弧状であることを特徴とする請求項１乃至４の何れかひとつに記載の電気機器取付具。
【請求項６】
前記連結箇所に形成された長孔は幅方向の孔縁に凹部を有し、
前記軸部材の一端には、前記凹部に係合する球面部が設けてあることを特徴とする請求項１乃至５の何れかひとつに記載の電気機器取付具。
【請求項７】
前記壁取付部材、前記機器取付部材、及び前記リンク部材夫々を各２個備え、
各部材はコ字状をなす板部材であり、
前記連結箇所に形成された長孔は前記板部材の先端部に形成してあり、
前記壁取付部材及び前記機器取付部材夫々は前記板部材の基端部を壁及び電気機器夫々に取り付けるようにしてあり、
各１個の前記壁取付部材の先端部及び前記リンク部材の基端近傍と前記機器取付部材の先端部及び前記リンク部材の先端部とを夫々連結してなることを特徴とする請求項３乃至６の何れかひとつに記載の電気機器取付具。
【請求項８】
前記壁取付部材、前記機器取付部材、及び前記リンク部材夫々を各２個備え、
各部材はコ字状をなす板部材であり、
前記連結箇所に形成された長孔は前記板部材の先端部に形成してあり、
前記壁取付部材及び前記機器取付部材夫々は前記板部材の基端部を壁及び電気機器夫々に取り付けるようにしてあり、
各１個の前記壁取付部材の先端部及び前記リンク部材の基端近傍を連結してあり、
一方のリンク部材の先端部及び他方のリンク部材の先端部を繋ぐように１個の機器取付部材の両方の先端部が連結してあることを特徴とする請求項３乃至６の何れかひとつに記載の電気機器取付具。
【発明の詳細な説明】
【技術分野】
【０００１】
本発明は、薄型テレビ、プロジェクタ等の電気機器を壁の平面部又はコーナー部に取り付ける電気機器取付具に関する。
【背景技術】
【０００２】
従来の電気機器取付具は、薄型テレビ、プロジェクタ等の電気機器を壁の平面部又はコーナー部に取り付け、また、電気機器の壁面に対する傾斜角度等を手動で調節可能にしてある（特許文献１〜６参照）。
特許文献１〜４においては、複数のアーム又は支柱を用いて壁の平面部に電気機器を取り付け、支点を中心に各アーム又は支柱を夫々回転、移動等させて、各アーム又は支柱に支持された電気機器の平面部に対する鉛直方向の傾斜角度を調節する。
特許文献５においては、壁の平面部に電気機器を、電気機器の上部に設けた鎖を用いて取り付け、鎖の長さを変更することによって、電気機器の下部に設けた軸支部を中心に平面部に対する電気機器の鉛直方向の傾斜角度を調節する。
特許文献６においては、機器取付部材を電気機器に取り付け、２個の壁取付部材を壁のコーナー部の一平面部及び他平面部に夫々取り付け、傾斜角度調節部で、水平方向に関して、各壁取付部材及び機器取付部材の間の傾斜角度を調節することによってコーナー部の傾斜角度によらず電気機器を壁のコーナー部に取り付け可能に構成してある。
【特許文献１】特開平５−６１４０号公報
【特許文献２】実用新案登録第３０６６６００号公報
【特許文献３】特開２００２−３４１７８２号公報
【特許文献４】特開２００３−２６３１１６号公報
【特許文献５】特開平１０−１７４０２１号公報
【特許文献６】特開２０００−３１２３１８号公報
【発明の開示】
【発明が解決しようとする課題】
【０００３】
しかしながら、特許文献１〜５に開示されている電気機器取付具においては、平面部に対する電気機器の鉛直方向の傾斜角度を調節するようにしてあり、このため、ユーザは電気機器を鉛直方向にしか首振りさせることができない。また、特許文献６に開示されている電気機器取付具においては、電気機器の水平方向の傾斜角度を調節するようにしてあり、このため、ユーザは電気機器を水平方向にしか首振りさせることができない。
【０００４】
以上のことから、壁の平面部であるかコーナー部であるかにかかわらず電気機器を壁に取り付けることができ、しかも、電気機器の傾斜角度及び位置をユーザの任意に変更することができる電気機器取付具が望まれている。
【０００５】
本発明は斯かる事情に鑑みてなされたものであり、その主たる目的は、リンク部材が壁取付部材及び機器取付部材夫々に回動可能に連結されており、少なくとも１つの連結箇所を、長孔と長孔を貫通して連結箇所を連結するための軸部材とで連結してあることにより、簡易な構成で、壁の形状に依らず電気機器を取り付けることができ、壁に対する電気機器の傾斜角度及び位置関係の調整の自由度を向上させることができる電気機器取付具を提供することにある。
【０００６】
本発明の他の目的は、リンク部材と、壁取付部材及び／又は機器取付部材とが２箇所で連結してあり、各連結箇所の夫々に長孔が形成してあることにより、壁及び／又は電気機器に対し、安定して取り付けることができ、壁に対する電気機器の傾斜角度及び位置関係の調整の自由度を更に向上させることができる電気機器取付具を提供することにある。
【０００７】
本発明の他の目的は、離隔配置された２箇所の連結箇所夫々に形成された長孔に貫通している軸部材を長孔の長手方向の互いに異なる位置に配置可能にしてあることにより、壁に対する電気機器の傾斜角度及び位置関係の調整の自由度を更に向上させることができる電気機器取付具を提供することにある。
【０００８】
本発明の他の目的は、リンク部材と壁取付部材及び／又は機器取付部材との連結箇所を、弧状の長孔と、長孔を貫通して連結箇所を連結するための軸部材とで連結してあることにより、壁に対する電気機器の傾斜角度及び位置関係の調整の自由度を向上させることができる電気機器取付具を提供することにある。
【０００９】
本発明の他の目的は、軸部材の一端に設けられた球面部が、長孔の凹部に係合する構成とすることにより、容易に位置決めすることができる電気機器取付具を提供することにある。
【００１０】
本発明の更に他の目的は、コ字状をなす板部材を用いてなる壁取付部材、機器取付部材、及びリンク部材を各２個、適宜連結してあることにより、簡易な形状及び構成で、安定して取り付けることができる電気機器取付具を提供することにある。
【課題を解決するための手段】
【００１１】
本発明に係る電気機器取付具は、壁に取り付けられる壁取付部材と、電気機器に取り付けられる機器取付部材と、前記壁取付部材及び前記機器取付部材の間に介在して各部材に回動可能に連結されているリンク部材とを備える電気機器取付具であって、少なくとも１つの連結箇所では、連結される一方の部材に長孔が形成してあり、該長孔を貫通して、該長孔が形成された連結箇所を連結するための軸部材を備えることを特徴とする。
【００１２】
本発明に係る電気機器取付具は、前記リンク部材と前記壁取付部材とは２箇所で連結してあり、２箇所の連結箇所の夫々に長孔が形成してあることを特徴とする。
【００１３】
本発明に係る電気機器取付具は、前記リンク部材と前記機器取付部材とは２箇所で連結してあり、２箇所の連結箇所の夫々に長孔が形成してあることを特徴とする。
【００１４】
本発明に係る電気機器取付具は、離隔配置された前記連結箇所に形成された長孔夫々に貫通している軸部材を前記長孔の長手方向の互いに異なる位置に配置可能にしてあることを特徴とする。
【００１５】
本発明に係る電気機器取付具は、前記連結箇所に形成された長孔は弧状であることを特徴とする。
【００１６】
本発明に係る電気機器取付具は、前記連結箇所に形成された長孔は幅方向の孔縁に凹部を有し、前記軸部材の一端には、前記凹部に係合する球面部が設けてあることを特徴とする。
【００１７】
本発明に係る電気機器取付具は、前記壁取付部材、前記機器取付部材、及び前記リンク部材夫々を各２個備え、各部材はコ字状をなす板部材であり、前記連結箇所に形成された長孔は前記板部材の先端部に形成してあり、前記壁取付部材及び前記機器取付部材夫々は前記板部材の基端部を壁及び電気機器夫々に取り付けるようにしてあり、各１個の前記壁取付部材の先端部及び前記リンク部材の基端近傍と前記機器取付部材の先端部及び前記リンク部材の先端部とを夫々連結してなることを特徴とする。
【００１８】
本発明に係る電気機器取付具は、前記壁取付部材、前記機器取付部材、及び前記リンク部材夫々を各２個備え、各部材はコ字状をなす板部材であり、前記連結箇所に形成された長孔は前記板部材の先端部に形成してあり、前記壁取付部材及び前記機器取付部材夫々は前記板部材の基端部を壁及び電気機器夫々に取り付けるようにしてあり、各１個の前記壁取付部材の先端部及び前記リンク部材の基端近傍を連結してあり、一方のリンク部材の先端部及び他方のリンク部材の先端部を繋ぐように１個の機器取付部材の両方の先端部が連結してあることを特徴とする。
【発明の効果】
【００１９】
本発明の電気機器取付具による場合、壁取付部材を壁に取り付け、機器取付部材を電気機器に取り付け、壁取付部材と機器取付部材との間にリンク部材を介在させて、壁取付部材又は機器取付部材とリンク部材とを連結箇所にて回動させる簡易な構成によって、壁取付部材（延いては壁）と機器取付部材（延いては電気機器）との間の傾斜角度及び位置関係を調節することができる。
また、少なくとも１つの連結箇所は、長孔及び軸部材を用いて連結し、しかも回動可能にしてある。この軸部材の長孔内の位置を変更することによって、壁取付部材と機器取付部材との間の傾斜角度及び位置関係の調節の自由度を更に向上させることができる。
更に、壁取付部材の形状に応じて、壁の平面部、コーナー部、又はコーナー部の一方の平面部に壁取付部材を取り付けることができる。
【００２０】
本発明の電気機器取付具による場合、リンク部材と壁取付部材及び／又は機器取付部材とが２箇所で連結してあるため、壁取付部材及び／又は機器取付部材と壁及び／又は電気機器とを２箇所で取り付けることができる。このため、電気機器取付具を壁及び／又は電気機器に対して安定して取り付けることができる。
しかも、各連結箇所の夫々に長孔が形成してあるため、各連結箇所の軸部材の長孔内の位置を変更させることによって、壁取付部材と機器取付部材との間の傾斜角度及び位置関係の調節の自由度を更に向上させることができる。
【００２１】
本発明の電気機器取付具による場合、リンク部材と壁取付部材及び／又は機器取付部材とが、間隔を隔てた２箇所で連結してあり、各連結箇所の夫々に形成してある長孔に貫通している軸部材を長孔の長手方向の互いに異なる位置に配置可能にしてあるため、連結箇所毎に軸部材の長孔内の位置を変更させることによって、壁に対する電気機器の傾斜角度及び位置関係の調整の自由度を更に向上させることができる。
【００２２】
本発明の電気機器取付具による場合、リンク部材と壁取付部材及び機器取付部材夫々とが回動可能に連結されており、リンク部材と壁取付部材及び／又は機器取付部材との連結箇所を、弧状の長孔と、長孔を貫通して連結箇所を連結するための軸部材とで連結してあるため、連結箇所の軸部材の長孔内の位置を曲線的に変更させることによって、壁取付部材と機器取付部材との間の傾斜角度及び位置関係の調節の自由度を向上させることができる。
【００２３】
本発明の電気機器取付具による場合、軸部材の一端に設けられた球面部が、長孔の孔縁に形成された凹部に係合するため、軸部材の長孔内の位置が、凹部の形成位置で位置決めされる。このため、壁取付部材及び／又は機器取付部材とリンク部材との位置決めを容易に行なうことができる。更に、軸部材の球面部が長孔の孔縁に接触することによって、球面部の外面に沿って軸部材が滑らかに、また確実に回動、傾斜等することができる。以上の結果、壁に対する電気機器の傾斜角度及び位置関係の調整を滑らかに、しかも確実に行なうことができる。
【００２４】
本発明の電気機器取付具による場合、コ字状をなす板部材を用いてなる壁取付部材、機器取付部材、及びリンク部材を各２個用いて適宜連結してあるため、形状及び構成が簡易である。
また、２個の壁取付部材を壁の平面部の２箇所又はコーナー部の一対の平面部に対して安定して取り付けることができ、更に、２個の機器取付部材を電気機器に対して安定して取り付けることができる。
【発明を実施するための最良の形態】
【００２５】
以下、本発明を、その実施の形態を示す図面に基づいて詳述する。
【００２６】
実施の形態  １．
以下では、電気機器として薄型の液晶テレビである表示装置Ｔを例示する。
図２の側面図及び図３の平面図に示すように、表示装置Ｔは、本発明の実施の形態１に係る電気機器取付具８０を用いて、壁Ｗの平面部に取り付けられる。この場合、電気機器取付具８０が備える各部材を夫々連結してなる２個の連結体８１，８１のうち、一（他）の連結体８１が表示装置Ｔの左部（右部）と壁Ｗの平面部の左部（右部）とに夫々取り付けられる。
また、表示装置Ｔは、図４の平面図に示すように、一（他）の連結体８１を表示装置Ｔの左部（右部）と壁Ｗのコーナー部の左側平面部（右側平面部）とに夫々取り付けることによって、壁Ｗのコーナー部に取り付けられる。
【００２７】
各連結体８１は、図１の分解斜視図及び図２〜図４に示すように、夫々略同程度の厚みを有する細長い金属板部材を側面視コ字状に屈曲してなる壁取付部材２、機器取付部材３及びリンク部材４を１個ずつ備え、異なる２方向に関して壁取付部材２と機器取付部材３との間の傾斜角度を調節すべく、壁取付部材２及び機器取付部材３に介在して各部材に回動可能にリンク部材４を連結してある。
【００２８】
壁取付部材２は、コ字状の板部材の基端部２３に複数のネジ孔が形成してあり、このネジ孔を用いて壁Ｗにネジ留め固定される。また、壁取付部材２は、コ字状の板部材の腕部２１，２１先端部とリンク部材４とが連結されて連結箇所１１，１１が設けられる。腕部２１，２１の内面の離隔距離は、リンク部材４の腕部４１，４１の外面の離隔距離に略等しい。
機器取付部材３は、基端部３３にネジ孔が形成してあり、このネジ孔を用いて表示装置Ｔにネジ留め固定される。また、機器取付部材３は、腕部３１，３１先端部とリンク部材４とが連結されて連結箇所１３，１３が設けられる。腕部３１，３１の外面の離隔距離Ｈ13は、表示装置Ｔの高さＨ0 より短い。なお、機器取付部材３及び表示装置Ｔのネジ留めのために、後述する取手付特殊ネジ６を用いてもよい。
リンク部材４の腕部４１，４１基端近傍と壁取付部材２とが連結されて連結箇所１１，１１が、腕部４１，４１先端部と機器取付部材３とが連結されて連結箇所１３，１３が、夫々設けられる。腕部４１，４１の内面の離隔距離Ｈ14は、表示装置Ｔの高さＨ0 より長い。
【００２９】
上（下）側の連結箇所１１に関し、壁取付部材２をリンク部材４の外側に配し、リンク部材４の上（下）側の腕部４１の基端近傍と、壁取付部材２の上（下）側の腕部２１の先端部とが重ね合わされ、枢軸７１ａによって回動可能に貫通されて、枢軸７１ａの両端に係止部７１ｂ，７１ｂを有してなる軸部材７１によって連結されている。上下の枢軸７１ａ，７１ａは鉛直方向の同一仮想回転軸上に配されている。各軸部材７１の係止部７１ｂ，７１ｂは腕部２１，４１夫々に接触して枢軸７１ａを腕部２１，４１に係止する。
リンク部材４は、ユーザが手を触れることによって、軸部材７１，７１，…を中心に水平方向に回動するが、腕部２１，４１に対する各枢軸７１ａ及び各係止部７１ｂの摩擦係合によって、ユーザが手を触れていない場合に不要に回動することが防止されている。
【００３０】
腕部４１，４１夫々の先端部には、互いに対応する位置に、各腕部４１の長手方向に長い長孔５１，５１が形成してある。各長孔５１は幅方向の両孔縁（両端面）が波状に形成されて、幅方向に対称に凹部５１ａ，５１ａ，…が設けられている。つまり、リンク部材４に係る連結箇所１３，１３では、連結される一方の部材である腕部４１，４１に長孔５１，５１が形成してあり、長孔５１，５１を貫通して、連結箇所１３，１３を連結するための軸部材として、取手付特殊ネジ６，６を備える。また、リンク部材４は、機器取付部材３に対して間隔を隔てた２箇所で連結してあり、２箇所の連結箇所の夫々に長孔５１，５１が形成してある。
【００３１】
図５に示すように、取手付特殊ネジ６は、ネジ部である軸部６０と、ユーザが摘持して取手付特殊ネジ６を回し易いように軸部６０の一旦側に設けられた円柱状の取手部６２と、軸部６０及び取手部６２間に設けられた半球状の球面部６１とを備える。球面部６１及び取手部６２夫々の外径は略等しく、また、長孔５１の対向する凹部５１ａ，５１ａ間の幅よりも長い。
球面部６１は、半球の底部が取手部６２に連設され、頂部に軸部６０が連設されており、図５（ａ）に示すように、対向する凹部５１ａ，５１ａに係合可能である。軸部６０は、長孔５１の幅方向に対向する凸部５１ｂ，５１ｂ間の幅よりも短い外径を有する。このため、長孔５１に挿通された軸部６０は長孔５１内で回動可能であり、また、長孔５１の長手方向に傾斜可能であり、更に、長孔５１に沿って移動可能である。
【００３２】
ただし、図５（ａ）に示すように、取手付特殊ネジ６を締めて球面部６１が凹部５１ａ，５１ａを係合させた場合、軸部６０は長孔５１内で回動及び傾斜可能であるが、長手方向への移動は不可能である。即ち取手付特殊ネジ６は凹部５１ａ，５１ａによって位置決めされる。図５（ｂ）に示すように、取手付特殊ネジ６を緩めて球面部６１を長孔５１の孔縁から離隔させた場合、軸部６０は長手方向へ移動可能である。
左右に離隔配置された連結体８１，８１の上側及び下側の腕部４１，４１夫々に形成された４個の長孔５１，５１，…に関し、４本の取手付特殊ネジ６の移動、傾斜、回動は互いに関連付けられていない。つまり、離隔配置された連結箇所１３，１３，…に形成された長孔夫々に貫通している各取手付特殊ネジ６を各長孔５１の長手方向の互いに異なる位置に配置可能にしてある。
【００３３】
リンク部材４は機器取付部材３の外側に配されている。機器取付部材３の腕部３１，３１の先端部夫々の対応する位置には、軸部６０が螺嵌すべき孔が形成してある。軸部６０，６０は、互いに同一仮想回転軸上に配されて、腕部４１の長孔５１と腕部３１の前記孔とを外側から内側へ貫通してから、ナット６３によって腕部３１に締結固定される。
【００３４】
以上のような構成によって、各連結体８１は、連結箇所１１，１１において、壁取付部材２，２に対しリンク部材４，４が水平方向に回動可能となり、連結箇所１３，１３において、リンク部材４，４に対し機器取付部材３，３が鉛直方向及び水平方向夫々に回動可能となる。
【００３５】
図６及び図７に示すように、表示装置Ｔを鉛直方向に傾斜させる場合、ユーザは各取手付特殊ネジ６の取手部６２を摘持し、球面部６１が凹部５１ａ，５１ａから離隔するまで取手付特殊ネジ６を緩め（図５（ｂ））、上（下）側の取手付特殊ネジ６，６を長孔５１に沿って腕部４１の基端側へ、下（上）側の取手付特殊ネジ６，６を先端側へ移動させ、適宜位置の凹部５１ａ，５１ａに球面部６１が係合するまで各取手付特殊ネジ６を締める（図５（ａ））。このとき、リンク部材４，４に対して機器取付部材３，３が上側又は下側に傾斜して保持され、このため表示装置Ｔが上側（図７）又は下側（図６）に傾斜した姿勢で保持される。また、このとき各取手付特殊ネジ６も腕部４１に対して傾斜するが、取手付特殊ネジ６と長孔５１の孔縁との接触部は球面部６１であり、前記孔縁と安定して接触するため、取手付特殊ネジ６の姿勢も安定する。
【００３６】
図８及び図１０に示すように、表示装置Ｔを水平方向に傾斜させる場合、ユーザは各取手付特殊ネジ６の取手部６２を摘持し、左（右）側の取手付特殊ネジ６，６を長孔５１に沿って腕部４１の基端側へ、右（左）側の取手付特殊ネジ６，６を先端側へ移動させる。このとき、適宜位置の凹部５１ａ，５１ａに球面部６１を係合させることによって、リンク部材４，４に対して機器取付部材３，３が左側又は右側に傾斜して保持され、このため表示装置Ｔが左側（図８）又は右側（図１０）に傾斜した姿勢で保持される。
【００３７】
図９に示すように、表示装置Ｔを前後左右に移動させて表示装置Ｔの位置を調整する場合、ユーザは、例えば表示装置Ｔを左奥へ押し込むことによって、軸部材７１，７１，…を中心に、壁取付部材２，２に対してリンク部材４，４を回動させ、また、取手付特殊ネジ６，６，…を中心に、リンク部材４，４に対して機器取付部材３，３を、夫々水平方向に回動させる。
図１１に示すように、表示装置Ｔの傾斜角度及び位置を調整する場合、ユーザは各取手付特殊ネジ６の移動と、リンク部材４，４及び機器取付部材３，３の回動とを行なう。
なお、各連結体８１は、リンク部材４の基端部４３にネジ孔を設けて、壁取付部材２を用いずにリンク部材４を直接的に壁Ｗに取り付け可能にしてある。
【００３８】
以上のような電気機器取付具８０は、壁Ｗの平面部、及び、どのような傾斜角度のコーナー部にも表示装置Ｔを取り付けることができ、しかも、表示装置Ｔを鉛直及び水平方向夫々に首振りさせること、及び壁に対して前後左右方向に移動させることができる。この結果、ユーザは、自身の目線の方向、表示装置Ｔに対する位置等に応じて表示装置Ｔの姿勢を変更させることができ、表示装置Ｔを視認するユーザの利便性が向上される。
【００３９】
なお、表示装置Ｔのサイズに応じて、例えば小型（１０インチ以下）の表示装置Ｔに対しては１個の連結体８１からなる電気器具取付装置を用い、大型（６５インチ以上）の表示装置Ｔに対しては３個以上の連結体８１，８１，…からなる電気器具取付装置を用いてもよい。また、係止部７１ｂ，７１ｂと腕部２１，４１との間に、更に摩擦力が高いワッシャを介在させて摩擦係合をより確実にしてもよい。
【００４０】
実施の形態  ２．
本発明の実施の形態２に係る電気機器取付具８２は、図１２の分解斜視図、図１３の側面図並びに図１４及び図１５の平面図に示すように上下左右対称の構造を有する。
電気機器取付具８２は、夫々略同程度の厚みを有する細長い金属板部材をコ字状に屈曲してなる壁取付部材２０、機器取付部材３０及びリンク部材４０を各２個ずつ備え、異なる２方向に関して壁取付部材２０，２０と機器取付部材３０，３０との間の傾斜角度を調節すべく、壁取付部材２０，２０及び機器取付部材３０，３０に介在して各部材に回動可能にリンク部材４０，４０を連結してある。
【００４１】
表示装置Ｔは、電気機器取付具８２を用いて壁Ｗの平面部又はコーナー部に取り付けられる。この場合、一（他）の壁取付部材２０が壁Ｗの平面部の左部（右部）又は壁Ｗのコーナー部の左側平面部（右側平面部）に取り付けられ、一（他）の機器取付部材３０が表示装置Ｔの上部（下部）に取り付けられる。
【００４２】
壁取付部材２０は実施の形態１の壁取付部材２と略同様に側面視コ字状であるため、対応する部分に同一の符号を付してある。各壁取付部材２０の腕部２１，２１夫々の先端部とリンク部材４０とが軸部材７２，７２を用いて連結されて連結箇所１２，１２が設けられる。腕部２１，２１の内面の離隔距離は、リンク部材４０の腕部４５，４５の外面の離隔距離に略等しい。
一方、機器取付部材３０は実施の形態１の機器取付部材３とは異なり平面視コ字状であるが、対応する部分に同一の符号を付してある。各機器取付部材３０の腕部３１，３１夫々の先端部とリンク部材４０，４０とが軸部材７２，７２を用いて連結されて連結箇所１４，１４が設けられる。腕部３１，３１の外面の離隔距離は、表示装置Ｔの左右の長さより短い。
各軸部材７２は、枢軸７２ａの両端に係止部７２ｂ，７２ｂを有してなる。
【００４３】
各リンク部材４０は側面視コ字状であり、基端部４４及び腕部４５，４５を有する。突出板４５ａ，４５ａは、基端部４４及び腕部４５，４５夫々に略鉛直な矩形板状であり、金属板の折り曲げによって腕部４５，４５夫々の先端部に一体に形成してある。各リンク部材４０の突出板４５ａ，４５ａと機器取付部材３０，３０とが連結されて連結箇所１４，１４が夫々設けられる。
壁取付部材２０，２０に連結されたリンク部材４０，４０は左右方向に離隔配置してあり、離隔されたリンク部材４０，４０の左右方向に対向する突出板４５ａ，４５ａの外面の離隔距離は、機器取付部材３０の腕部３１，３１外面の離隔距離と等しい。腕部４５，４５の外面の離隔距離Ｈ24は、表示装置Ｔの高さＨ0 より長い。
【００４４】
４枚の突出板４５ａ，４５ａ，…には、上下左右対称に、各腕部４５の長手方向に長く、外側へ膨らむような円弧状の長孔５２が形成してある。長孔５２の幅は、軸部材７２の枢軸７２ａの外径より僅かに大きい。また、各機器取付部材３０の腕部３１，３１の先端部夫々の対応する位置には、枢軸７２ａが回動可能に嵌合する孔が形成してある。
リンク部材４０，４０を機器取付部材３０，３０の外側に配し、右（左）側のリンク部材４０の上（下）側の突出板４５ａの長孔５２と、上（下）側の機器取付部材３０の右（左）側の腕部３１の孔とは、枢軸７２ａに貫通され、この枢軸７２ａが、突出板４５ａ及び腕部３１に対する適宜の摩擦係数を有するワッシャ７２ｃ，７２ｃ，…を介して両端に係止部７２ｂ，７２ｂを取り付けられて係止されることによって、軸部材７２がリンク部材４０，４０と機器取付部材３０，３０とを連結している。以上の場合、左右に対向する枢軸７２ａ，７２ａは水平方向の同一仮想回転軸上に配されている。
【００４５】
機器取付部材３０，３０は、ユーザが手を触れることによって、４個の軸部材７２，７２，…を中心に鉛直方向に回動し、また、軸部材７２，７２，…が長孔５２，５２，…に沿って移動することにより機器取付部材３０，３０も一方向（例えば前後方向）に移動する。ただし、ワッシャ７２ｃ，７２ｃ，…の摩擦によって、ユーザが手を触れていない場合に不要に回動及び移動することが防止されている。
【００４６】
４本の腕部４５，４５，…の基端近傍には、上下左右対称に、各腕部４５の長手方向に長く、外側へ膨らむような円弧状の長孔５３，５３，…が形成してある。各長孔５３の幅は軸部材７２の枢軸７２ａの外径より僅かに大きい。また、各壁取付部材２０の腕部２１，２１の先端部夫々の対応する位置には、枢軸７２ａ，７２ａが回動可能に嵌合する孔が形成してある。
壁取付部材２０，２０をリンク部材４０，４０の外側に配し、右（左）側のリンク部材４０の上（下）側の腕部４５の長孔５３と、右（左）側の壁取付部材２０の上（下）側の腕部２１の孔とは、枢軸７２ａに貫通され、この枢軸７２ａは、腕部４５及び腕部２１に対する適宜の摩擦係数を有するワッシャ７２ｃ，７２ｃ，…を介して両端に係止部７２ｂ，７２ｂを取り付けられて係止されることによって、軸部材７２がリンク部材４０，４０と壁取付部材２０，２０とを連結している。以上の場合、上下に対向する枢軸７２ａ，７２ａは鉛直方向の同一仮想回転軸上に配されている。
【００４７】
リンク部材４０，４０は、ユーザが手を触れることによって、軸部材７２，７２，…を中心に水平方向に回動し、また、軸部材７２，７２，…が長孔５３，５３，…に沿って移動することによりリンク部材４０，４０も一の方向（例えば前後方向）に移動する。ただし、ワッシャ７２ｃ，７２ｃ，…の摩擦によって、ユーザが手を触れていない場合に不要に回動及び移動することが防止されている。
【００４８】
以上のような構成によって、電気機器取付具８２は、連結箇所１２，１２において、壁取付部材２０，２０に対しリンク部材４０，４０が水平方向に回動及び移動可能となり、連結箇所１４，１４において、リンク部材４０，４０に対し機器取付部材３０，３０が鉛直方向に回動及び水平方向に移動可能となる。
【００４９】
図１６に示すように、表示装置Ｔを下（上）方向に傾斜させる場合、ユーザは上側の軸部材７２，７２を各長孔５２に沿って各腕部４５の先端（基端）側へ、下側の軸部材７２，７２を基端（先端）側へ移動させる。このとき、円弧状の長孔５２，５２，…の端部に当接して軸部材７２，７２，…が位置決めされるため、リンク部材４０，４０に対して機器取付部材３０，３０が下（上）側に傾斜して保持され、このため表示装置Ｔが下（上）側に傾斜した姿勢で保持される。
【００５０】
図１７及び図１８に示すように、表示装置Ｔを右（左）方向に傾斜させる場合、ユーザは右側の軸部材７２，７２を各長孔５３に沿って各腕部４５の先端（基端）側へ、左側の軸部材７２，７２を基端（先端）側へ移動させる。このとき、円弧状の長孔５３，５３，…の端部に当接して軸部材７２，７２，…が位置決めされるため、壁取付部材２０，２０に対してリンク部材４０，４０が右（左）側に傾斜して保持され、このため表示装置Ｔが右（左）側に傾斜した姿勢で保持される。
【００５１】
その他、実施の形態１に対応する部分には同一符号を付してそれらの説明を省略する。
【００５２】
以上のような電気機器取付具８２は、電気機器取付具８０同様、壁Ｗの平面部、及び、どのような傾斜角度のコーナー部にも表示装置Ｔを取り付けることができ、しかも、表示装置Ｔを鉛直及び水平方向夫々に首振りさせることができる。この結果、ユーザは、自身の目線の方向、表示装置Ｔに対する位置等に応じて表示装置Ｔの姿勢を変更させることができ、表示装置Ｔを視認するユーザの利便性が向上される。
【図面の簡単な説明】
【００５３】
【図１】本発明の実施の形態１に係る電気機器取付具の構成を示す分解斜視図である。
【図２】本発明の実施の形態１に係る電気機器取付具を用いて、電気機器としての表示装置を壁の平面部に取り付けた場合の側面図である。
【図３】本発明の実施の形態１に係る電気機器取付具を用いて、表示装置を壁の平面部に取り付けた場合の平面図である。
【図４】本発明の実施の形態１に係る電気機器取付具を用いて、表示装置を壁のコーナー部に取り付けた場合の平面図である。
【図５】本発明の実施の形態１に係る電気機器取付具が備える取手付特殊ネジとリンク部材の長孔との関係を示す説明図である。
【図６】本発明の実施の形態１に係る電気機器取付具を用いて、表示装置を壁の平面部に取り付けて下方へ傾斜させた場合の側面図である。
【図７】本発明の実施の形態１に係る電気機器取付具を用いて、表示装置を壁の平面部に取り付けて上方へ傾斜させた場合の側面図である。
【図８】本発明の実施の形態１に係る電気機器取付具を用いて、表示装置を壁の平面部に取り付けて左方へ傾斜させた場合の平面図である。
【図９】本発明の実施の形態１に係る電気機器取付具を用いて、表示装置を壁の平面部に取り付けて左奥へ移動させた場合の平面図である。
【図１０】本発明の実施の形態１に係る電気機器取付具を用いて、表示装置を壁のコーナー部に取り付けて右方へ傾斜させた場合の平面図である。
【図１１】本発明の実施の形態１に係る電気機器取付具を用いて、表示装置を壁のコーナー部に取り付けて右方へ傾斜させた状態で左奥へ移動させた場合の平面図である。
【図１２】本発明の実施の形態２に係る電気機器取付具の構成を示す分解斜視図である。
【図１３】本発明の実施の形態２に係る電気機器取付具を用いて、表示装置を壁の平面部に取り付けた場合の側面図である。
【図１４】本発明の実施の形態２に係る電気機器取付具を用いて、表示装置を壁の平面部に取り付けた場合の平面図である。
【図１５】本発明の実施の形態２に係る電気機器取付具を用いて、表示装置を壁のコーナー部に取り付けた場合の平面図である。
【図１６】本発明の実施の形態２に係る電気機器取付具を用いて、表示装置を壁の平面部に取り付けて下方へ傾斜させた場合の側面図である。
【図１７】本発明の実施の形態２に係る電気機器取付具を用いて、表示装置を壁の平面部に取り付けて右方へ傾斜させた場合の平面図である。
【図１８】本発明の実施の形態２に係る電気機器取付具を用いて、表示装置を壁のコーナー部に取り付けて右方へ傾斜させた場合の平面図である。
【符号の説明】
【００５４】
１１，１２，１３，１４  連結箇所
２，２０  壁取付部材
３，３０  機器取付部材
４，４０  リンク部材
５１，５２，５３  長孔
５１ａ  凹部
６  取手付特殊ネジ（軸部材）
６１  球面部
８０，８２  電気機器取付具
Ｔ  表示装置（電気機器）
Ｗ  壁
【図１】
2007108528.tif 000003
【図２】
2007108528.tif 000004
【図３】
2007108528.tif 000005
【図４】
2007108528.tif 000006
【図５】
2007108528.tif 000007
【図６】
2007108528.tif 000008
【図７】
2007108528.tif 000009
【図８】
2007108528.tif 000010
【図９】
2007108528.tif 000011
【図１０】
2007108528.tif 000012
【図１１】
2007108528.tif 000013
【図１２】
2007108528.tif 000014
【図１３】
2007108528.tif 000015
【図１４】
2007108528.tif 000016
【図１５】
2007108528.tif 000017
【図１６】
2007108528.tif 000018
【図１７】
2007108528.tif 000019
【図１８】
2007108528.tif 000020